(57)【要約】【課題】吊上げ装置を自由に移動して機器の組み立てや据付を行うため、吊上げ装置を装着するビームを天井部に沿って着脱可能で自在に取り付けることができるビーム取付装置を提供する。【構成】ビーム取付装置１を構成する本体２のボルト部３を天井部２０に設けたボルト孔２３に螺着し、ビーム３０のフランジ３１の上面をビーム取付部４の底面５に当接または近接し、ビーム３０のフランジ３１の下面に連結部材９の内鍔部１０を差し込むと共に、ビーム取付部４の段差部７に連結部材９の逆段差部１２を接触させた状態で、ビーム取付部４に連結部材９を連結することにより、ビーム３０を天井部２０に取り付ける。【選択図】　　　　図３
2004083264.tif 000002
【特許請求の範囲】
【請求項１】
建築物の天井部２０に沿ってビーム３０を着脱自在に取り付ける装置において、
上部にボルト部３と下部にビーム取付部４を設けた本体２と、
ビーム取付部４に側方から着脱自在に連結する一対の連結部材９とを備え、
ビーム取付部４は、ビーム３０の上面を当接または近接するための底面５と、下方が拡大する段差部７を設けた側部６とを有し、
各連結部材９は、内鍔部１０と、前記ビーム取付部４の段差部７に適合する逆段差部１２を有する側部１１を有し、
前記ボルト部３を天井部２０に設けたボルト孔２３に螺着すると共に、ビーム３０のフランジ３１の上面をビーム取付部４の底面５に当接または近接し、ビーム３０のフランジ３１の下面に連結部材９の内鍔部１０を差し込むと共に、ビーム取付部４の段差部７に連結部材９の逆段差部１２を接触させた状態で、ビーム取付部４に連結部材９を連結することにより、ビーム３０を天井部２０に取り付けるように構成したことを特徴とするビーム取付装置。
【請求項２】
請求項１において、前記ビーム３０が吊上げ装置４０を移動自在に装着するＩビームであることを特徴とするビーム取付装置。
【請求項３】
請求項１または２において、前記ボルト孔２３が予め天井部２０に設けられているフックボルト取付用のボルト孔であることを特徴とするビーム取付装置。
【請求項４】
請求項１ないし３のいずれかにおいて、天井部２０が波状のデッキプレート２１により構成され、本体２はそのデッキプレート２１の凹部２１ａに挿入できる形状とされていることを特徴とするビーム取付装置。
【発明の詳細な説明】
【０００１】
【発明の属する技術分野】
本発明は建築物の天井部に機器吊上げ用などに利用されるビームを着脱自在に取り付けるための取付装置に関する。
【０００２】
【従来の技術】
例えば地下変電所を構成する建築物内において、ガス式遮断器（ＧＩＳ）等の重量の大きい機器の組み立てや据付を行う際には、機器を吊上げて所定位置に移動する必要がある。そのため従来から、建築物を建築する際にはその天井部に所定間隔で複数のアンカーナット等からなるボルト孔を形成しておき、そのボルト孔に螺着したフックボルト（例えばマーテックから市販されているフレノ・リンクボルト）にチェーンブロックを取り付け、機器を吊上げて組み立てや据付などを行っていた。
【０００３】
【発明が解決しようとする課題】
しかし天井部に予め複数のボルト孔を所定間隔で設け、それに螺着したフックボルトにチェーンブロックを取り付ける場合、そのボルト孔の位置が機器の組み立て位置や据付位置に一致している場合は支障ないが、一致していない場合には機器の姿勢が不安定になり、作業効率や安全性が低下するという問題があった。そこで本発明は従来のフックボルト方式における問題を解決することを課題とし、そのためのビーム取付装置を提供することを目的とする。
【０００４】
【課題を解決するための手段】
前記課題を解決する本発明は、建築物の天井部に沿ってビームを着脱自在に取り付ける装置である。そして本装置は、
上部にボルト部と下部にビーム取付部を設けた本体と、ビーム取付部に側方から着脱自在に連結する一対の連結部材を備え、
ビーム取付部はビームを当接または近接するための底面と、下方が拡大する段差部を設けた側部を有し、
各連結部材は内鍔部と、前記ビーム取付部の段差部に適合する逆段差部を有する側部を有し、
前記ボルト部を天井部に設けたボルト孔に螺着すると共に、ビームのフランジの上面をビーム取付部の底面に当接または近接し、ビームのフランジの下面に連結部材の内鍔部を差し込むと共に、ビーム取付部の段差部に連結部材の逆段差部を接触させた状態で、ビーム取付部に連結部材を連結することにより、ビームを天井部に取り付けるように構成したことを特徴とする（請求項１）。
【０００５】
上記ビーム取付装置において、前記ビームは吊上げ装置を移動自在に装着するＩビームとすることができる（請求項２）。
【０００６】
上記いずれかのビーム取付装置において、前記ボルト孔は予め天井部に設けられているフックボルト取付用のボルト孔であることを特徴とする（請求項３）。
【０００７】
上記いずれかのビーム取付装置において、それを取り付ける前記天井部は波状のデッキプレートとすることができ、さらに前記本体はそのデッキプレートの凹部に挿入できる形状とすることができる（請求項４）。
【０００８】
【発明の実施の形態】
次に本発明の実施の形態を図面により説明する。図１は本発明に係るビーム取付装置によりビームを波状のデッキプレートからなる天井部に取り付けた状態を示す正面図、図２は図１におけるビーム取付装置の平面図、図３は図１の側断面図である。
【０００９】
これらの図において、１はビーム取付装置、２はビーム取付装置１の本体、２ａは本体２の上部、３はボルト部、４はビーム取付部、５はビーム取付部４の底面、６はビーム取付部４の側部、７は側部６に設けた段差部、８は孔部、９は連結部材、１０は連結部材９の内鍔部、１１は連結部材９の側部、１２は側部１１に設けた逆段差部、１３は連結ボルト、２０は天井部、２１は波状鋼板からなるデッキプレート、２２はコンクリート層、４５はアンカーナットであり２３はそのボルト孔、３０はビーム、３１はビーム３０の上側および下側のフランジ、３２はビーム３０の脚部である。
【００１０】
本発明に係るビーム取付装置１は、ボルト部３とビーム取付部４を有する本体２と、一対の連結部材９を備えている。
本体２は金属製棒材などを円錐台形に加工した上部２ａと、横断面方形に加工した下部２ｂとが一体に形成されている。そして上部２ａはボルト部３が溶接固定される固定部を形成し、下部２ｂがビーム取付部４を形成する。なお軽量化を目的として、ビーム取付部４には縦方向の孔部８が形成されている。
【００１１】
ボルト部３の下部は上部２ａ内に垂直に延長しており、その下端は孔部８に達する。そしてボルト部３の上部外周にはねじ部が形成され、そのねじ部を天井部２０に設けたアンカーナット４５のボルト孔２３に螺着することにより、ビーム取付装置１が天井部２０に着脱自在に取り付けられる。
【００１２】
図３に示すように、ビーム取付部４は平らな底面５と４つの側部６を有し、平行する２つの側部６にはそれぞれ下方が拡大した段差部７が設けられ、さらにそれら２つの側部６に内ねじを形成した３つのボルト孔がそれぞれ穿設（貫通）している。そして底面５にはビーム３０における上側のフランジ３１の上面が当接され、段差部７には連結部材９の逆段差部１２が当接される。
【００１３】
各連結部材９は金属ブロックを加工して作られ、その側部１１の１面に前記ビーム取付部４の段差部７と整合する逆段差部１２が設けられる共に、前記ビーム取付部４に形成された３つのボルト孔に整合する３つのボルト孔が穿設されている。なお連結部材９のボルト孔には内ねじが形成されていない。さらに連結部材９の逆段差部１２側における下部に内鍔部１０が設けられ、その内鍔部１０はビーム３０における上側のフランジ３１の下面に差し込むようになっている。
【００１４】
次に上記ビーム取付装置１を使用してビーム３０を天井部２０に取り付ける方法を説明する。先ずビーム取付装置１を取り付ける天井部２０について説明すると、この実施の形態では天井部２０が波状の鋼板で作られたデッキプレート２１と、そのデッキプレート２１の上側に形成したコンクリート層２２により形成され、複数のボルト孔２３がデッキプレート２１を貫通してコンクリート層２２の内部までそれぞれ延長している。
【００１５】
これらボルト孔２３は例えば内ねじを設けたアンカーナット４５により形成され、そのアンカーナット４５をデッキプレート２１に溶接して固定する。
なお天井部２０をデッキプレート２１のみで構成した場合にも本発明のビーム取付装置１を容易に取り付けることができ、その場合には天井部２０を構成するデッキプレート２１に内ねじを形成したボルト孔２３を設けるか、またはデッキプレート２１に設けた貫通孔に前記内ねじを設けたアンカーナット４５を溶接する。
【００１６】
次に本発明のビーム取付装置１に取り付けるビーム３０について説明すると、一般に鋼材からなるビーム３０は、図１または図３に示すようなＩビームのほかにＨビームがあるが、機器吊上げ用のチェーンブロックを吊り下げる場合にはＩビームが適している。ＩビームまたはＨビームのいずれの場合でも、それらビーム３０は上側と下側のフランジ３１とそれらを連結する脚部３２により構成されるが、Ｈビームの場合はそのフランジ幅がＩビームより長いので、それに応じてビーム取付部４の横幅を大きくする。
【００１７】
天井部２０にビーム取付装置１を取り付けるには、先ず複数のビーム取付装置１を用意し、各ビーム取付装置１を構成する本体２のボルト部３を前記ボルト孔２３にそれぞれ螺着する。その際、図１に示すように本体２の外形が円錐台形に形成されているので、デッキプレート２１の下側における凹部２１ａの部分に本体２を挿入することができ、それによってビーム取付装置による高さロスを抑制でき、天井部の床からの高さが比較的低い場合でも、吊上げ装置の操作高さをその分だけ多く確保できるという利点がある。
【００１８】
次に、フォークリフトなどのリフト装置を使用してビーム３０を水平に持ち上げ、その上側のフランジ３１の上面を各ビーム取付部４の底面に当接する。次いで各ビーム取付部４にそれぞれ一対の連結部材９を連結することにより、ビーム３０を各ビーム取付装置１に取り付ける。その際、連結部材９の逆段差部１２をそれぞれ対応する各ビーム取付部４の段差部７に当接すると共に、各内鍔部１０をフランジ３１の下面に差し込んだ状態で、連結部材９およびビーム取付部４に設けた各ボルト孔に連結ボルト１３をそれぞれ装着して両者を締結することにより、ビーム３０はビーム取付装置１に安定に、且つ確実に取り付けられる。
【００１９】
図４は上記のようにして天井部２０に取り付けたビーム３０にチェーンブロックからなる吊上げ装置４０を装着した状態を示す正面図である。この吊上げ装置４０はビーム３０の下側のフランジ３１にスライド自在に装着される装着部４１と、滑車部４２と、滑車部４２に掛合した吊上げチェーン４３と、装着部４１の横移動を操作する操作チェーン４４を備えている。なお吊上げる機器の重量がかなり大きい場合には、複数の吊上げ装置４０を１本のビーム３０に装着し、それら吊上げ装置４０で吊上げることもできる。
【００２０】
【発明の効果】
以上のように本発明に係るビーム取付装置は容易に天井部への取り付け、またはその取り外しができると共に、天井部に取り付けた当該装置にビームを容易に且つ安定確実に取り付け、またはその取り外しをすることができる。
さらに、当該装置に取り付けたビームにチェーンブロックなどの吊上げ装置を移動自在に装着することができ、それによってビームの長さ方向における任意の位置で機器を吊上げて組み立てや据付を行うことが可能になる。
【００２１】
またビームとしてＩビームを使用することにより、当該装置を構成する取付部の寸法を小さくできると共に、吊上げ装置を当該ビームに容易に且つ移動自在に支持することができる。
【００２２】
上記装置において、予め天井部に所定間隔で設けられているフックボルト取付用のボルト孔を利用することができ、それによって低コストで且つ迅速にビーム取付装置を天井部に取り付けることができる。
【００２３】
さらに上記装置において、天井部が波状のデッキプレートにより構成される場合には、装置を構成する本体をそのデッキプレートの凹部に挿入できる形状とすることができる。そのように構成すると、ビーム取付装置による高さロスをそれにより抑制でき、天井部の床からの高さが比較的低い場合でも、吊上げ装置の操作高さをその分だけ多く確保できる。
【図面の簡単な説明】
【図１】本発明に係るビーム取付装置によりビームを波状のデッキプレートからなる天井部に取り付けた状態を示す正面図。
【図２】図１におけるビーム取付装置の平面図。
【図３】図１の側断面図。
【図４】本発明に係るビーム取付装置を利用してビームを天井部に取り付けた後に吊上げ装置４０を装着した状態を示す正面図。
【符号の説明】
１　ビーム取付装置
２　本体
２ａ　上部
２ｂ　下部
３　ボルト部
４　ビーム取付部
５　底面
６　側部
７　段差部
８　孔部
９　連結部材
１０　内鍔部
１１　側部
１２　逆段差部
１３　連結ボルト
２０　天井部
２１　デッキプレート
２１ａ　凹部
２２　コンクリート層
２３　ボルト孔
３０　ビーム
３１　フランジ
３２　脚部
４０　吊上げ装置
４１　装着部
４２　滑車部
４３　吊上げチェーン
４４　操作チェーン
４５　アンカーナット
【図１】
2004083264.tif 000003
【図２】
2004083264.tif 000004
【図３】
2004083264.tif 000005
【図４】
2004083264.tif 000006